(57)【要約】【課題】OFDMシンボル群を特定する処理負荷を軽減すること。【解決手段】通信装置は、１つ又は２つの連続したサブフレームにおける前半のサブフレームでスケジューリング情報を受信し、前記１つ又は２つの連続したサブフレーム中のOFDMシンボル群にマッピングされたダウンリンクデータを受信する受信部と、前記スケジューリング情報に基づいて前記OFDMシンボル群を特定する制御部と、を具備し、前記OFDMシンボル群のシンボル数は前記１つ又は２つの連続したサブフレーム中においてOFDMシンボル群が取り得るシンボル数の全候補よりも少ないサブセットから１つが選択される。【選択図】図３
2019154078.tif 000002
【特許請求の範囲】
【請求項１】
１つ又は２つの連続したサブフレームにおける前半のサブフレームでスケジューリング情報を受信し、前記１つ又は２つの連続したサブフレーム中のOFDMシンボル群にマッピングされたダウンリンクデータを受信する受信部と、
前記スケジューリング情報に基づいて前記OFDMシンボル群を特定する制御部と、を具備し、
前記OFDMシンボル群のシンボル数は前記１つ又は２つの連続したサブフレーム中においてOFDMシンボル群が取り得るシンボル数の全候補よりも少ないサブセットから１つが選択される、
通信装置。
【請求項２】
前記OFDMシンボル群の終了位置は、サブフレーム境界とは異なる可変の位置に設定される、
請求項１に記載の通信装置。
【請求項３】
前記OFDMシンボル群の終了位置は、サブフレーム境界からOFDMシンボル単位でシフトされている、
請求項１に記載の通信装置。
【請求項４】
前記サブセットは6,9,10,11,12,14のシンボル数を含む、
請求項１から３いずれか一項に記載の通信装置。
【請求項５】
前記スケジューリング情報は、DCIフォーマットの４ビットのフィールドに配置され、前記４ビットのフィールドの値は、前記１つ又は２つの連続したサブフレーム中における前記OFDMシンボル群に含まれるOFDMシンボルの数を示す、
請求項１から４いずれか一項に記載の通信装置。
【請求項６】
前記OFDMシンボル群の終了位置は、前記１つ又は２つの連続したサブフレームのうちの一つのサブフレーム中のダウンリンク・パイロット・タイム・スロット（DwPTS）の終了位置と一致する、
請求項１から５いずれか一項に記載の通信装置。
【請求項７】
下りデータの送信のための前半のサブフレーム中におけるOFDMシンボル群の開始位置は、サブフレーム境界とは異なる可変の位置に設定される、
請求項１から３いずれか一項に記載の通信装置。
【請求項８】
１つ又は２つの連続したサブフレームにおける前半のサブフレームでスケジューリング情報を受信し、前記１つ又は２つの連続したサブフレーム中のOFDMシンボル群にマッピングされたダウンリンクデータを受信する受信部と、
前記スケジューリング情報に基づいて前記OFDMシンボル群を特定する制御部と、を具備し、
前記OFDMシンボル群のシンボル数は前記１つ又は２つの連続したサブフレーム中においてOFDMシンボル群が取り得るシンボル数の全候補よりも少ないサブセットから１つが選択される、
通信装置。
【請求項９】
前記OFDMシンボル群の終了位置は、サブフレーム境界とは異なる可変の位置に設定される、
請求項８に記載の通信装置。
【請求項１０】
前記OFDMシンボル群の終了位置は、サブフレーム境界からOFDMシンボル単位でシフトされている、
請求項８に記載の通信装置。
【請求項１１】
前記サブセットは6,9,10,11,12,14のシンボル数を含む、
請求項８から１０いずれか一項に記載の通信装置。
【請求項１２】
前記スケジューリング情報は、DCIフォーマットの４ビットのフィールドに配置され、前記４ビットのフィールドの値は、前記１つ又は２つの連続したサブフレーム中における前記OFDMシンボル群に含まれるOFDMシンボルの数を示す、
請求項８から１１いずれか一項に記載の通信装置。
【請求項１３】
前記OFDMシンボル群の終了位置は、前記１つ又は２つの連続したサブフレームのうちの一つのサブフレーム中のダウンリンク・パイロット・タイム・スロット（DwPTS）の終了位置と一致する、
請求項８から１２いずれか一項に記載の通信装置。
【請求項１４】
下りデータの送信のための前半のサブフレーム中におけるOFDMシンボル群の開始位置は、サブフレーム境界とは異なる可変の位置に設定される、
請求項８から１１いずれか一項に記載の通信装置。
【請求項１５】
１つ又は２つの連続したサブフレームにおける前半のサブフレームでスケジューリング情報を受信し、前記１つ又は２つの連続したサブフレーム中のOFDMシンボル群にマッピングされたダウンリンクデータを受信する処理と、
前記スケジューリング情報に基づいて前記OFDMシンボル群を特定する処理と、を制御し、
前記OFDMシンボル群のシンボル数は前記１つ又は２つの連続したサブフレーム中においてOFDMシンボル群が取り得るシンボル数の全候補よりも少ないサブセットから１つが選択される、
集積回路。
【請求項１６】
前記サブセットは6,9,10,11,12,14のシンボル数を含む、
請求項１５に記載の集積回路。
【発明の詳細な説明】
【技術分野】
【０００１】
本開示は、ワイヤレス通信の分野の通信装置および集積回路に関する。
【背景技術】
【０００２】
モバイルデータの急成長がオペレータに有限の周波数スペクトルをますます高い効率で利用することを強いる一方、ＷｉＦｉ、ブルートゥース（登録商標）などのみでは、たくさんのアンライセンスド周波数スペクトルの利用が低効率となる。ＬＴＥ−Ｕ（ＬＴＥ−ｕｎｌｉｃｅｎｓｅｄ）は、直接的かつ劇的にネットワーク容量を増大させることになるアンライセンスドバンドにＬＴＥスペクトルを拡張することができる。ＬＡＡ（Ｌｉｃｅｎｓｅｄ  Ａｓｓｉｓｔｅｄ  Ａｃｃｅｓｓ）とともにＬＴＥ−Ｕは、特に大規模ユーザのとき、例えば信頼性の高いＣＣＨ（Ｃｏｎｔｒｏｌ  ＣＨａｎｎｅｌ）、ＬＡ（Ｌｉｎｋ  Ａｄａｐｔｉｏｎ）、ＨＡＲＱ、ＩＣＩＣ（Ｉｎｔｅｒ  Ｃｅｌｌ  Ｉｎｔｅｒｆｅｒｅｎｃｅ  Ｃｏｏｒｄｉｎａｔｉｏｎ）、干渉除去など、ＷｉＦｉより高いスペクトル効率を有する。ＬＴＥ−Ｕは、ＬＢＴ（Ｌｉｓｔｅｎ  Ｂｅｆｏｒｅ  Ｔａｌｋ）、ＤＦＳ（Ｄｙｎａｍｉｃ  Ｆｒｅｑｕｅｎｃｙ  Ｓｅｌｅｃｔｉｏｎ）、ＴＰＣ（Ｔｒａｎｓｍｉｔ  Ｐｏｗｅｒ  Ｃｏｎｔｒｏｌ）などの機構によって現存するＲＡＴと適切に共存することができる。ネットワークアーキテクチャは、より簡単で、より統一化されるであろう。
【発明の概要】
【課題を解決するための手段】
【０００３】
本開示の第１の実施態様で、ｅＮｏｄｅ  Ｂ（ｅＮＢ）によって行われるワイヤレス通信のためのリソーススケジューリング方法が提供され、ワイヤレス通信は、少なくとも第１のキャリアおよび第２のキャリアを伴い、その方法は、ユーザ機器（ＵＥ）に第１のキャリアでダウンリンク制御情報（ＤＣＩ）を送信して第２のキャリアの物理ダウンリンク共有チャネル（ＰＤＳＣＨ）のためのダウンリンクリソースをスケジューリングすることを含み、ｅＮＢは、第２のキャリアがｅＮＢによって占有された後、第２のキャリアのサブフレーム境界から独立したフレキシブルな時間に第２のキャリアでバーストを送信し始めることができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【０００４】
本開示の第２の実施態様で、ユーザ機器（ＵＥ）によって行われるワイヤレス通信のためのリソース決定方法が提供され、ワイヤレス通信は、少なくとも第１のキャリアおよび第２のキャリアを伴い、その方法は、ｅＮｏｄｅ  Ｂ（ｅＮＢ）によって第１のキャリアで送信されたダウンリンク制御情報（ＤＣＩ）を受信して第２のキャリアの物理ダウンリンク共有チャネル（ＰＤＳＣＨ）のためのダウンリンクリソースを決定するステップを含み、ＵＥは、第２のキャリアがｅＮＢによって占有された後、第２のキャリアのサブフレーム境界から独立したフレキシブルな時間にｅＮＢによって開始された第２のキャリアでのバーストを受信することができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【０００５】
本開示の第３の実施態様で、ワイヤレス通信のリソーススケジューリングのためのｅＮｏｄｅ  Ｂ（ｅＮＢ）が提供され、ワイヤレス通信は、少なくとも第１のキャリアおよび第２のキャリアを伴い、ｅＮＢは、ユーザ機器（ＵＥ）に第１のキャリアでダウンリンク制御情報（ＤＣＩ）を送信して第２のキャリアの物理ダウンリンク共有チャネル（ＰＤＳＣＨ）のためのダウンリンクリソースをスケジューリングするように構成された送信ユニットを含み、ｅＮＢは、第２のキャリアがｅＮＢによって占有された後、第２のキャリアのサブフレーム境界から独立したフレキシブルな時間に第２のキャリアでバーストを送信し始めることができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【０００６】
本開示の第４の実施態様で、ワイヤレス通信のリソース決定のためのユーザ機器（ＵＥ）が提供され、ワイヤレス通信は、少なくとも第１のキャリアおよび第２のキャリアを伴い、方法は、ｅＮｏｄｅ  Ｂ（ｅＮＢ）によって第１のキャリアで送信されたダウンリンク制御情報（ＤＣＩ）を受信して第２のキャリアの物理ダウンリンク共有チャネル（ＰＤＳＣＨ）のためのダウンリンクリソースを決定する受信ユニットを含み、ＵＥは、第２のキャリアがｅＮＢによって占有された後、第２のキャリアのサブフレーム境界から独立したフレキシブルな時間にｅＮＢによって開始された第２のキャリアでのバーストを受信することができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【０００７】
本開示で、フレキシブルなＰＤＳＣＨおよびその対応する基準信号（ＲＳ）は、仕様への影響を最小化するためにＤｗＰＴＳサブフレーム構造を再利用することができる。
【０００８】
本開示の前述の特徴および他の特徴は、付随する図面と関連してなされる、以下の説明および添付の特許請求の範囲から、より完全に明らかになるであろう。これらの図面は本開示によるいくつかの実施形態のみを描写するものであり、したがって、本開示の範囲を限定するものとみなされるべきでないということを理解すると、本開示は付随する図面の使用を通してさらに具体的にかつ詳細に説明されるであろう。
【図面の簡単な説明】
【０００９】
【図１】本開示の実施形態によるワイヤレス通信のためのリソーススケジューリング方法のフローチャートを例示する。
【図２】ＤｗＰＴＳサブフレーム構造を使用する短縮ＰＤＳＣＨのシフトを概略的に例示する略図である。
【図３】本開示の実施形態によるｅＮＢのブロック図を例示する。
【図４】本開示の実施形態によるワイヤレス通信のためのリソース決定方法のフローチャートを例示する。
【図５】本開示の実施形態によるＵＥのブロック図を例示する。
【図６】本開示の第１の実施形態によるライセンスドキャリアおよびアンライセンスドキャリアに対する例示的な時系列図を概略的に例示する。
【図７】本開示の第２の実施形態によるライセンスドキャリアおよびアンライセンスドキャリアに対する例示的な時系列図を概略的に例示する。
【図８】本開示の第３の実施形態によるライセンスドキャリアおよびアンライセンスドキャリアに対する例示的な時系列図を概略的に例示する。
【図９】本開示の第４の実施形態によるライセンスドキャリアおよびアンライセンスドキャリアに対する例示的な時系列図を概略的に例示する。
【図１０】本開示の第５の実施形態によるライセンスドキャリアおよびアンライセンスドキャリアに対する例示的な時系列図を概略的に例示する。
【図１１】本開示の第６の実施形態によるライセンスドキャリアおよびアンライセンスドキャリアに対する例示的な時系列図を概略的に例示する。
【図１２】本開示の第７の実施形態によるライセンスドキャリアおよびアンライセンスドキャリアに対する例示的な時系列図を概略的に例示する。
【図１３】本開示の第７の実施形態によるＰＤＳＣＨの循環シフトを解説するための例示的な時系列図を概略的に例示する。
【図１４】本開示の第７の実施形態の別の実施例によるライセンスドキャリアおよびアンライセンスドキャリアに対する例示的な時系列図を概略的に例示する。
【発明を実施するための形態】
【００１０】
以下の詳細な説明で付随する図面を参照し、図面は説明の一部を形成する。図面で、文脈が別途指示しない限り、類似の記号は通常、類似の構成要素を識別する。本開示の実施態様は多種多様な異なる構成で配置し、代用し、組み合わせ、設計することができ、それらの構成はすべて明示的に企図され本開示の一部をなすことが、容易に理解されるであろう。
【００１１】
ｅＮＢによってアンライセンスドキャリアのリソースをスケジューリングする方法は、ＬＡＡで解決する必要がある重要な問題である。ＬＴＥキャリア・アグリゲーション・アーキテクチャ（ライセンスドＰＣｅｌｌおよびアンライセンスドＳＣｅｌｌ）は基本前提である。ライセンスド帯域によるクロスキャリアスケジューリングは、ライセンスドキャリアにおける信頼性の高い制御信号送信によってアンライセンスドキャリアでリソースを付与するための、キャリアアグリゲーションにおける普通の機構である。ライセンスドキャリアとアンライセンスドキャリアとの間で位置合わせされたサブフレームは、ＬＴＥキャリアアグリゲーションにおける現在のスケジューリング機構を再利用することができる。現在存在するクロスキャリアスケジューリング機構で、制御およびデータは、同じサブフレーム時間に、しかし異なるキャリアで送られる。ｅＮＢは、ただ固定された時点（例えばＰＤＳＣＨ境界またはサブフレーム境界）にアンライセンスドチャネルにアクセスすることができ、他方Ｗｉ−Ｆｉなどの他のノードは、ＣＣＡ（Ｃｌｅａｒ  Ｃｈａｎｎｅｌ  Ａｓｓｅｓｓｍｅｎｔ）が成功した直後にチャネルにアクセスすることができる。この意味で、ＬＡＡのアクセス優先度は、Ｗｉ−Ｆｉと比較して優先されないことになる。
【００１２】
本開示で、（アンライセンスドバンドとも呼ばれる）アンライセンスドキャリアにおけるバーストの開始時間をフレキシブルにスケジューリングする機構が提供される。換言すれば、ｅＮＢは、アンライセンスドキャリアがｅＮＢによって占有された後（例えば、ＣＣＡが成功した後）、サブフレーム境界から独立したフレキシブルな時間にアンライセンスドキャリアでバーストを送信し始めることができる。特に、バーストにおけるＰＤＳＣＨの開始時間は、フレキシブルにスケジューリングすることができる。バーストまたはＰＤＳＣＨの開始時間をフレキシブルにスケジューリングすることによって、ｅＮＢは、ＣＣＡが成功した直後に、サブフレーム境界から独立した任意の瞬間に認可不要キャリアを占有する可能性がある。
【００１３】
本開示の実施形態は、ライセンスドバンドおよびアンライセンスドバンドの文脈で説明され得るが、本開示はそれに限定されず、本開示で第１のキャリア（例えばライセンスドキャリア）および第２のキャリア（例えばアンライセンスドキャリア）と呼ばれる２つの異なるキャリアを伴う任意のワイヤレス通信に適用され得ることが、留意される。
【００１４】
本開示によれば、ｅＮＢによって行われるワイヤレス通信のためのリソーススケジューリング方法が提供される。ワイヤレス通信は、少なくとも第１のキャリア（例えばライセンスドキャリア）および第２のキャリア（例えばアンライセンスドキャリア）を伴う。リソーススケジューリング方法のフローチャートが方法１００として図１に例示される。方法１００は、ＵＥに第１のキャリアでＤＣＩを送信して第２のキャリアのＰＤＳＣＨのためのダウンリンクリソースをスケジューリングするステップ１０１を含み、ｅＮＢは、第２のキャリアがｅＮＢによって占有された後、第２のキャリアのサブフレーム境界から独立したフレキシブルな時間に第２のキャリアでバーストを送信し始めることができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。好ましくは、第２のキャリアのサブフレームは、ＬＴＥキャリアアグリゲーションにおける現在のスケジューリング機構を再利用することができる、第１のキャリアのサブフレームと位置合わせされる。この場合のノーマルなＰＤＳＣＨは固定された境界および長さを持つＰＤＳＣＨを意味することが留意される。第２のキャリアのサブフレームがＰＤＣＣＨを有さない場合、ノーマルなＰＤＳＣＨの境界は、サブフレームの境界と同じである。サブフレームがＰＤＣＣＨを有する場合、ノーマルなＰＤＳＣＨの開始境界は、ＰＤＣＣＨの終了であり、ノーマルなＰＤＳＣＨの終了境界は、ノーマルなＰＤＳＣＨが存在するサブフレームの終了境界である。この場合のフレキシブルなＰＤＳＣＨは、ノーマルなＰＤＳＣＨと異なるＰＤＳＣＨを意味する。例えば、フレキシブルなＰＤＳＣＨの開始時間および／または終了時間は、ノーマルなＰＤＳＣＨのそれぞれの境界からシフトされる。フレキシブルなＰＤＳＣＨの長さは、ノーマルなＰＤＳＣＨより短くまたは長くすることができる。
【００１５】
方法１００によれば、ｅＮＢは、サブフレーム境界によって限定されることなく、ＣＣＡが成功した後、フレキシブルな時間に第２のキャリアでバーストを開始することができる。本明細書で、「フレキシブル」という用語は、開始時間がサブフレーム境界またはノーマルなＰＤＳＣＨ境界に限定されず、必要に応じて変更され得ることを意味する。例えば、ｅＮＢは、ＣＣＡが成功した直後に信号を送信し始めることができる。信号は、ＰＤＳＣＨが後に続く、ＲＴＳ／ＣＴＳ（Ｒｅｑｕｅｓｔ  Ｔｏ  Ｓｅｎｄ／Ｃｌｅａｒ  Ｔｏ  Ｓｅｎｄ）もしくは他の信号などの予約信号、またはＰＤＳＣＨのみとすることができる。ＰＤＳＣＨを送信するとき、その粒度は１つのＯＦＤＭシンボルとすることができる。換言すれば、バーストにおける先頭ＰＤＳＣＨのフレキシブルな開始時間は、成功したＣＣＡの終了時間後の最初の利用可能なＯＦＤＭシンボルとすることができる。このように、ｅＮＢは、ＣＣＡが成功した直後に、サブフレーム境界から独立した任意の瞬間に第２のキャリアを占有する可能性がある。
【００１６】
加えるに、バーストの開始時間はフレキシブルにスケジューリングされるので、バーストにおける先頭および／または最終ＰＤＳＣＨは、ノーマルなＰＤＳＣＨと位置合わせされないことがあり、したがって、方法１００によれば、バーストのフレキシブルなＰＤＳＣＨに対するＤＣＩは、フレキシブルなＰＤＳＣＨのためにスケジューリングされている期間についての情報を含む。おそらく、バーストにおける先頭または最終ＰＤＳＣＨに対するＤＣＩは、フレキシブルなＰＤＳＣＨであろう。ノーマルなＰＤＳＣＨに関しては、本開示で規定されるＤＣＩを同様に使用することができ、換言すれば、ノーマルなＰＤＳＣＨおよびフレキシブルなＰＤＳＣＨは同じＤＣＩフォーマットを用いることができ、ＤＣＩフォーマットの詳細は後で説明する。期間についての情報は必ずしもＰＤＳＣＨの開始時間および終了時間を含むことになっていないが、期間を導出し得る任意の情報とすることができることが留意される。例えば、情報は、ＰＤＳＣＨの終了時間または開始時間および長さとすることができる。あるいは、開始時間または終了時間がＵＥに知られている場合、長さだけが含まれる必要があるであろう。
【００１７】
本開示によれば、ＤＣＩは、第２のチャネルがｅＮＢによって占有された後に第１のキャリアのＰＤＣＣＨまたはＥＰＤＣＣＨ（（Ｅ）ＰＤＣＣＨ）で送ることができ、あるいは、ＤＣＩは、第２のチャネルがｅＮＢによって占有される前に第１のキャリアの（Ｅ）ＰＤＣＣＨで同様に送ることができる。加えるに、ＤＣＩは、ＰＤＳＣＨを送るサブフレームと同じまたは異なるサブフレームで送ることができ、同じサブフレームでもＰＤＳＣＨを送る前または後に送ることができる（この場合、「前」または「後」という用語は、送信の開始が「前」または「後」であることを意味する）。例えば、ＥＰＤＣＣＨがＤＣＩを送るために第１のキャリアで使用される場合、第２のキャリアにおけるＰＤＳＣＨは、同じサブフレームにおけるＥＤＰＣＣＨの開始の前に送り始めることができる。あるいは、特に、ＤＣＩは、ＰＤＳＣＨ送信を開始するサブフレームの次のサブフレームで送ることができる。
【００１８】
方法１００によれば、バーストにおける若干のＰＤＳＣＨ、特に先頭ＰＤＳＣＨおよび最終ＰＤＳＣＨは、ノーマルなＰＤＳＣＨと長さが異なる場合がある。例えば、先頭ＰＤＳＣＨは、成功したＣＣＡの終了時間後の最初の利用可能なＯＦＤＭシンボルで始まり、先頭ＰＤＳＣＨが始まるサブフレームの終了境界で、または先頭ＰＤＳＣＨが始まるサブフレームの次のサブフレームの終了境界で終わることができる。前者の場合の先頭ＰＤＳＣＨは、ノーマルなＰＤＳＣＨより短い短縮ＰＤＳＣＨとすることができ（先頭ＰＤＳＣＨの開始時間が偶然ノーマルなＰＤＳＣＨの境界であった場合、それは同様にノーマルなＰＤＳＣＨとすることができる）、後者の場合の先頭ＰＤＳＣＨは、１つの短縮またはノーマルなＰＤＳＣＨプラス１つのノーマルなＰＤＳＣＨである、拡張ＰＤＳＣＨである。短縮ＰＤＳＣＨおよび拡張ＰＤＳＣＨは、フレキシブルなＰＤＳＣＨに属する。本開示によれば、短縮ＰＤＳＣＨおよび拡張ＰＤＳＣＨは両方とも、設計された戦略に基づいて採用され得る。好ましくは、フレキシブルなＰＤＳＣＨおよびその対応する基準信号（ＲＳ）は、ＤｗＰＴＳ（Ｄｏｗｎｌｉｎｋ  Ｐｉｌｏｔ  Ｔｉｍｅ  Ｓｌｏｔ）サブフレーム構造を再利用する。例えば、短縮ＰＤＳＣＨに対して、短縮ＰＤＳＣＨの開始時間がノーマルなＰＤＳＣＨの開始時間でない場合（例えば、フレキシブルスケジューリングにおける先頭ＰＤＳＣＨは通常そうである）、ＤｗＰＴＳサブフレーム構造を使用する短縮ＰＤＳＣＨは、ｅＮＢによってスケジューリングされたＯＦＤＭシンボルで始まるように全体的にシフトすることができる。図２はこのようなシフトを概略的に例示する。既存のＤｗＰＴＳはＰＤＣＣＨとして開始点から１つまたは２つのＯＦＤＭシンボルを含むことが留意される。したがって、アンライセンスドバンドにＰＤＣＣＨがないとき、短縮ＰＤＳＣＨのために２つの可能性が存在し、すなわち、短縮ＰＤＳＣＨは、ＤｗＰＴＳの最初のＯＦＤＭシンボルから始まるか、またはＤｗＰＴＳの２番目もしくは３番目のＯＦＤＭシンボルから始まることができる。加えるに、対応するＰＤＳＣＨマッピング、ＲＳパターン、およびトランスポート・ブロック・サイズ（ＴＢＳ）テーブルは、必要ならば修正することができる。
【００１９】
本開示で、ワイヤレス通信のリソーススケジューリングのためのｅＮＢが同様に提供される。ワイヤレス通信は、少なくとも第１のキャリアおよび第２のキャリアを伴う。図３は、このようなｅＮＢ３００のブロック図を概略的に例示する。ｅＮＢ３００は、ＵＥに第１のキャリアでＤＣＩを送信して第２のキャリアのＰＤＳＣＨのためのダウンリンクリソースをスケジューリングするように構成された送信ユニット３０１を含み、ｅＮＢは、第２のキャリアがｅＮＢによって占有された後、第２のキャリアのサブフレーム境界から独立したフレキシブルな時間に第２のキャリアでバーストを送信し始めることができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【００２０】
本開示によるｅＮＢ３００は、関連プログラムを実行してさまざまなデータを処理しｅＮＢ３００のそれぞれのユニットの動作を制御するためのＣＰＵ（Ｃｅｎｔｒａｌ  Ｐｒｏｃｅｓｓｉｎｇ  Ｕｎｉｔ）３１０、ＣＰＵ３１０によってさまざまな処理および制御を行うために必要とされるさまざまなプログラムを格納するためのＲＯＭ（Ｒｅａｄ  Ｏｎｌｙ  Ｍｅｍｏｒｙ）３１３、ＣＰＵ３１０によって処理および制御の手順で一時的に作り出される中間データを格納するためのＲＡＭ（Ｒａｎｄｏｍ  Ａｃｃｅｓｓ  Ｍｅｍｏｒｙ）３１５、および／またはさまざまなプログラム、データなどを格納するための記憶装置３１７を任意選択で含み得る。上記の送信ユニット３０１、ＣＰＵ３１０、ＲＯＭ３１３、ＲＡＭ３１５および／または記憶装置３１７などは、データおよび／またはコマンドバス３２０を介して相互に接続され、互いに信号を転送する。
【００２１】
上述のそれぞれのユニットは本開示の範囲を限定しない。本開示の１つの実装によれば、上記の送信ユニット３０１の機能はハードウェアによって実施することができ、上記のＣＰＵ３１０、ＲＯＭ３１３、ＲＡＭ３１５および／または記憶装置３１７は必要ではない場合がある。あるいは、上記の送信ユニット３０１の機能は、上記のＣＰＵ３１０、ＲＯＭ３１３、ＲＡＭ３１５および／または記憶装置３１７などと組み合わせて機能的ソフトウェアによって同様に実施することができる。
【００２２】
それに応じて、ＵＥ側において、本開示は、ＵＥによって行われるワイヤレス通信のためのリソース決定方法を提供する。ワイヤレス通信は、少なくとも第１のキャリアおよび第２のキャリアを伴う。図４はリソース決定方法４００のフローチャートを例示する。方法４００は、ｅＮＢによって第１のキャリアで送信されたＤＣＩを受信して第２のキャリアのＰＤＳＣＨのためのダウンリンクリソースを決定するステップ４０１を含み、ＵＥは、第２のキャリアがｅＮＢによって占有された後、第２のキャリアのサブフレーム境界から独立した時間にｅＮＢによって開始される第２のキャリアでのバーストを受信することができ、少なくともバーストの先頭ＰＤＳＣＨに対するＤＣＩおよび／またはバーストの最終ＰＤＳＣＨに対するＤＣＩは、それぞれのＰＤＳＣＨのためにスケジューリングされている期間についての情報を含む。ｅＮＢ側で説明された上記の詳細はＵＥ側に同様に適用することができ、それらはここで繰り返されることになることが、留意される。
【００２３】
加えるに、本開示は、ワイヤレス通信のリソース決定のためのＵＥを同様に提供する。ワイヤレス通信は、少なくとも第１のキャリアおよび第２のキャリアを伴う。図５は、このようなＵＥ５００のブロック図を概略的に例示する。ＵＥ５００は、ｅＮＢによって第１のキャリアで送信されたＤＣＩを受信して第２のキャリアのＰＤＳＣＨのためのダウンリンクリソースを決定するように構成された受信ユニット５０１を含み、ＵＥは、第２のキャリアがｅＮＢによって占有された後、第２のキャリアのサブフレーム境界から独立したフレキシブルな時間にｅＮＢによって開始された第２のキャリアでのバーストを受信することができ、第２のキャリアのノーマルなＰＤＳＣＨと異なるバーストのフレキシブルなＰＤＳＣＨに対するＤＣＩは、フレキシブルなＰＤＳＣＨのためにスケジューリングされている期間についての情報を含む。
【００２４】
本開示によるＵＥ５００は、関連プログラムを実行してさまざまなデータを処理しＵＥ５００のそれぞれのユニットの動作を制御するためのＣＰＵ（Ｃｅｎｔｒａｌ  Ｐｒｏｃｅｓｓｉｎｇ  Ｕｎｉｔ）５１０、ＣＰＵ５１０によってさまざまな処理および制御を行うために必要とされるさまざまなプログラムを格納するためのＲＯＭ（Ｒｅａｄ  Ｏｎｌｙ  Ｍｅｍｏｒｙ）５１３、ＣＰＵ５１０によって処理および制御の手順で一時的に作り出される中間データを格納するためのＲＡＭ（Ｒａｎｄｏｍ  Ａｃｃｅｓｓ  Ｍｅｍｏｒｙ）５１５、および／またはさまざまなプログラム、データなどを格納するための記憶装置５１７を任意選択で含み得る。上記の受信ユニット５０１、ＣＰＵ５１０、ＲＯＭ５１３、ＲＡＭ５１５および／または記憶装置５１７などは、データおよび／またはコマンドバス５２０を介して相互に接続され、互いに信号を転送する。
【００２５】
上述のそれぞれのユニットは本開示の範囲を限定しない。本開示の１つの実装によれば、上記の受信ユニット５０１の機能はハードウェアによって実施することができ、上記のＣＰＵ５１０、ＲＯＭ５１３、ＲＡＭ５１５および／または記憶装置５１７は必要ではない場合がある。あるいは、上記の受信ユニット５０１の機能は、上記のＣＰＵ５１０、ＲＯＭ５１３、ＲＡＭ５１５および／または記憶装置５１７などと組み合わせて機能的ソフトウェアによって同様に実施することができる。
【００２６】
以下に、本開示を実施形態によって詳細に説明する。
【００２７】
（第１の実施形態）
第１の実施形態で、ｅＮＢは、第２のキャリアがｅＮＢによって占有された後（例えばＣＣＡが成功した後）の最初の利用可能なＯＦＤＭシンボルから始まり、先頭ＰＤＳＣＨが始まるサブフレームの終了境界で終わる、バーストの先頭ＰＤＳＣＨを送信することができる。例えば、アンライセンスドバンドでＣＣＡが成功した後、ｅＮＢは、データ送信のために利用可能な最初のＯＦＤＭシンボルから始まり現在のサブフレームの終了境界で終わるＰＤＳＣＨでデータを送る。プリアンブル、ＰＳＳ／ＳＳＳ（Ｐｒｉｍａｒｙ  Ｓｙｎｃｈｒｏｎｉｚａｔｉｏｎ  Ｓｉｇｎａｌ／Ｓｅｃｏｎｄａｒｙ  Ｓｙｎｃｈｒｏｎｉｚａｔｉｏｎ  Ｓｉｇｎａｌ）またはＲＴＳ／ＣＴＳなどの予約信号をＣＣＡ終了後先頭ＰＤＳＣＨの前に送ることができるので、最初の利用可能なＯＦＤＭシンボルはＣＣＡ終了後の最初のＯＦＤＭシンボルである必要がないことが、留意される。第１の実施形態におけるバーストの先頭ＰＤＳＣＨは、短縮ＰＤＳＣＨまたはノーマルなＰＤＳＣＨとすることができる。
【００２８】
図６は、本開示の第１の実施形態によるライセンスドキャリアおよびアンライセンスドキャリアに対する例示的な時系列図を概略的に例示する。図６に示されるように、アンライセンスドバンドで、（図６で短縮ＰＤＳＣＨである）先頭ＰＤＳＣＨのデータは、ＣＣＡの後の最初のシンボル境界から始まることによって送ることができ、任意選択で、先頭ＰＤＳＣＨの前に予約信号を送ることができる。先頭ＰＤＳＣＨの前に予約信号を送るとき、先頭ＰＤＳＣＨは、最初のシンボル以外の後続のシンボルから始まることができ、前記後続のシンボルの前のシンボルはＰＤＳＣＨのために利用可能ではないので、前記後続のシンボルを最初の利用可能なシンボルとも呼ぶことができる。先頭ＰＤＳＣＨの終了は、現在のサブフレームの終了境界、すなわち、図６に示される第１のサブフレーム境界である。
【００２９】
ノーマルＣＰ（Ｃｙｃｌｉｃ  Ｐｒｅｆｉｘ）でアンライセンスドバンドにＰＤＣＣＨ領域がない場合、ノーマルなＰＤＳＣＨは１４個のＯＦＤＭシンボルからなる。フレキシブルに開始されたＰＤＳＣＨ（例えば、この実施形態でバーストの先頭ＰＤＳＣＨ）の開始シンボルは、ＣＣＡ終了時間に応じて１番目から１４番目のシンボルとすることができ、したがってフレキシブルに開始されたＰＤＳＣＨに対するＯＦＤＭシンボル数は１４個から１個である。ＯＦＤＭシンボル数が１４より小さい場合、ＰＤＳＣＨは短縮ＰＤＳＣＨと呼ばれる。先頭ＰＤＳＣＨの長さが１４シンボルである場合、先頭ＰＤＳＣＨはノーマルなＰＤＳＣＨである。
【００３０】
短縮ＰＤＳＣＨおよび対応するＲＳ（Ｒｅｆｅｒｅｎｃｅ  Ｓｉｇｎａｌ）は、仕様への影響を最小化するためにＤｗＰＴＳサブフレーム構造を再利用することになる。ＤｗＰＴＳサブフレーム構造を使用する短縮ＰＤＳＣＨは、図２に示されるように、ｅＮＢによってスケジューリングされたＯＦＤＭシンボルで始まるように全体的にシフトされる。６／９／１０／１１／１２シンボルの長さだけが現在のＤｗＰＴＳでノーマルＣＰを持つＰＤＳＣＨに対して規定され、（サポートされる場合）短縮ＰＤＳＣＨの他の長さは、同じ構造を再利用して新しいＴＢＳ（Ｔｒａｎｓｐｏｒｔ  Ｂｌｏｃｋ  Ｓｉｚｅ）マッピングを次のように規定することができる。
【００３１】
・６／９／１０／１１／１２ＯＦＤＭシンボルの長さに対して
◆３ＧＰＰ  ３６．２１３で規定されたＤｗＰＴＳにおけるＰＤＳＣＨに対する現在のＴＢＳ決定を再利用する
◆３ＧＰＰ  ３６．２１１で規定されたＲＳ（例えばＣＲＳ／ＤＭＲＳ）マッピングを再利用する
【００３２】
・１３／１４ＯＦＤＭシンボルの長さに対して
◆３ＧＰＰ  ３６．２１３で規定されたノーマルサブフレームにおけるＰＤＳＣＨに対する現在のＴＢＳ決定を再利用する
◆３ＧＰＰ  ３６．２１１で規定されたＲＳ（例えばＣＲＳ／ＤＭＲＳ）マッピングを再利用する
【００３３】
・１／２／３／４／５／７／８ＯＦＤＭシンボルの長さに対して
◆ＴＢＳ決定
□候補−１：  新しいＴＢＳ決定、例えば、
【００３４】
【数１】
2019154078.tif 000003
【００３５】
を規定し、上式でＮＰＲＢは３ＧＰＰ  ３６．２１３におけるＴＢＳテーブルのカラムの指標であり、Ｎ’ＰＲＢは割り当てられたＰＲＢの合計数であり、βはターゲットＰＤＳＣＨにおけるデータＲＥの数から導出される係数である（例えば、βは、ターゲットＰＤＳＣＨにおけるデータＲＥの数を既存のＰＤＳＣＨにおけるデータＲＥＳの平均数で割ることを通して導出することができ、加えるに、異なるＰＤＳＣＨ長に対して異なるβを使用してもよく、または、例えば個々のβを平均することによって、多数のＰＤＳＣＨ長に対して共通のβを使用してもよい）
□候補−２：４／５／７／８ＯＦＤＭシンボルの長さに対して、３ＧＰＰ  ３６．２１３で規定された６ＯＦＤＭシンボルを含むＤｗＰＴＳに対するＴＢＳ決定、例えば、
【００３６】
【数２】
2019154078.tif 000004
【００３７】
を再利用する
□候補−３：規定されない長さのＰＤＳＣＨは、例えば１／２／３ＯＦＤＭシンボルの長さに対して、スケジューリングされないことになる
◆ＲＳマッピング
□候補−１：例えば４／５／７／８ＯＦＤＭシンボルの長さに対して、３ＧＰＰ  ３６．２１１で規定されたＲＳ（例えばＣＲＳ／ＤＭＲＳ）マッピングを再利用する
【００３８】
□候補−２：新しいＲＳ、例えば、１／２／３ＯＦＤＭシンボルの長さのＰＤＳＣＨの最初のＯＦＤＭシンボルに位置する新しいＤＭＲＳを導入する
【００３９】
アンライセンスドキャリアにおけるバーストの先頭ＰＤＳＣＨの期間を示すために、ＤＣＩがライセンスドバンドのＰＤＣＣＨ／ＥＰＤＣＣＨで送られることになる。ＤＣＩは、アンライセンスドチャネルがｅＮＢによって占有された後またはアンライセンスドチャネルがｅＮＢによって占有される前に送ることができる。例えば、ＤＣＩは、先頭ＰＤＳＣＨを送信するサブフレームまたは次のサブフレームで送ることができる。図６の実施例で、ＤＣＩは、次のサブフレームで送られる。実施例として、先頭ＰＤＳＣＨに対するＤＣＩは、先頭ＰＤＳＣＨの終了時間がＤＣＩを送信するサブフレームの開始境界であるか終了境界であるかどうかを示す終了インジケータ（すなわち、終了サブフレーム境界フィールド）および先頭ＰＤＳＣＨの長さを示す長さインジケータを含む。第１の実施形態で、先頭ＰＤＳＣＨが短縮ＰＤＳＣＨ（一種のフレキシブルなＰＤＳＣＨ）である場合、上で規定されたＤＣＩが使用されることになる。すなわち、上で規定されたＤＣＩは、フレキシブルなＰＤＳＣＨとしての先頭ＰＤＳＣＨに対するものである。先頭ＰＤＳＣＨがノーマルなＰＤＳＣＨである場合に関しては、ノーマルＤＣＩを使用してもよく、または上で規定されたＤＣＩを同様に使用してもよい。ＤＣＩフォーマットの選択は、指定または設定することができる。上で規定されたＤＣＩがノーマルなＰＤＳＣＨに対して（先頭ＰＤＳＣＨに対してだけでなく、場合によっては他のノーマルなＰＤＳＣＨに対しても）使用されるとき、ＰＤＳＣＨの長さは、ノーマルＣＰでＰＤＣＣＨ領域がない場合に１４であるように設定される。
【００４０】
具体的には、ＤＣＩにおける終了サブフレーム境界フィールドに関して、１ビットを使用して、例えば（Ｅ）ＰＤＣＣＨでＤＣＩを送るためのサブフレームに対して、終了時間（例えば、終了サブフレーム境界）を示すことができる。例えば、「０」は、ＤＣＩを送るサブフレームの開始境界（図６で第１のサブフレーム境界）でＰＤＳＣＨが終わることを示し、「１」は、ＤＣＩを送るサブフレームの終了境界（図６で第２のサブフレーム境界）でＰＤＳＣＨが終わることを示す。
【００４１】
例えばＯＦＤＭシンボルを単位として、先頭ＰＤＳＣＨの長さを示すための長さインジケータに関して、例えば、４ビットを使用して１から１４（「１４」はノーマルなＰＤＳＣＨを示す）ＯＦＤＭシンボルまでのＰＤＳＣＨ長を示すことができる。しかしながら、符号化レートの縮小によってＤＣＩのロバスト性を向上させることと同様に信号伝達オーバヘッドを縮小するために、可能な開始位置の縮小されたセットに関連して、縮小された数のビットを同様に使用することができる。例えば、３／６／９／１４ＯＦＤＭシンボルの長さに対して２ビットインジケータを使用することができ、または７／１４ＯＦＤＭシンボルの長さに対して１ビットインジケータを使用することができる。
【００４２】
上記の方法は、拡張ＣＰを持つＯＦＤＭシンボルに同様に適用され得る。第１の実施形態によれば、ＣＣＡが成功する時間が予測できないため、ｅＮＢで異なる長さのＰＤＳＣＨをバッファリングすることが必要とされる場合があり、ＵＥは先頭ＰＤＳＣＨのために前のサブフレームを１つバッファリングしなければならない場合がある。
【００４３】
（第２の実施形態）
第２の実施形態で、ｅＮＢは、第２のキャリアがｅＮＢによって占有された後（例えばＣＣＡが成功した後）の最初の利用可能なＯＦＤＭシンボルから始まり、先頭ＰＤＳＣＨが始まるサブフレーム（現在のサブフレーム）の次のサブフレームの終了境界で終わる、バーストの先頭ＰＤＳＣＨを送信することができる。例えば、アンライセンスドバンドでＣＣＡが成功した後、ｅＮＢは、データ送信のために利用可能な最初のＯＦＤＭシンボルから始まり現在のサブフレームの次のサブフレームの終了境界で終わるＰＤＳＣＨでデータを送る。第１の実施形態で説明したように、プリアンブル、ＲＴＳ／ＣＴＳまたはＰＳＳ／ＳＳＳなどの予約信号をＣＣＡ終了後先頭ＰＤＳＣＨの前に送ることができるので、最初の利用可能なＯＦＤＭシンボルはＣＣＡ終了後の最初のＯＦＤＭシンボルである必要がないことが留意される。第２の実施形態におけるバーストの先頭ＰＤＳＣＨは拡張ＰＤＳＣＨである。
【００４４】
図７は、本開示の第２の実施形態によるライセンスドキャリアおよびアンライセンスドキャリアに対する例示的な時系列図を概略的に例示する。図７に示されるように、アンライセンスドバンドで、先頭ＰＤＳＣＨ（拡張ＰＤＳＣＨ）のデータは、ＣＣＡの後の最初のシンボル境界から開始することによって送ることができる。任意選択で、先頭ＰＤＳＣＨの前に予約信号を同様に送ることができる。先頭ＰＤＳＣＨの終了は、現在のサブフレームの次のサブフレームの終了境界、すなわち、図７に示される第２のサブフレーム境界である。
【００４５】
第１の実施形態で説明したように、ノーマルＣＰでアンライセンスドバンドにＰＤＣＣＨ領域がない場合、ノーマルなＰＤＳＣＨは１４個のＯＦＤＭシンボルからなる。したがって、最初の利用可能なＯＦＤＭシンボルから始まり現在のサブフレームの終了境界までである、第２の実施形態における先頭ＰＤＳＣＨの第１の部分（短縮ＰＤＳＣＨ部分）は、１４個から１個のＯＦＤＭシンボルを有し得る。第１の部分は、第１の実施形態における先頭ＰＤＳＣＨと同じである。先頭ＰＤＳＣＨの第２の部分（ノーマルなＰＤＳＣＨ部分）は、現在のサブフレームの次のサブフレームで送るノーマルなＰＤＳＣＨである。第２の実施形態で、先頭ＰＤＳＣＨの第１の部分は、例えば１つの（グループの）ＵＥに第２の部分を送るサブフレームにおける１つのＤＣＩによって１つの拡張ＰＤＳＣＨとして第２の部分とともにスケジューリングされる。
【００４６】
拡張ＰＤＳＣＨのビットは、以下とすることができる。すなわち、
【００４７】
１．別々に符号化されたトランスポートブロック、すなわち第１の部分におけるビットおよび２番目のＰＤＳＣＨにおけるビットは、別々に符号化される。短縮ＰＤＳＣＨとしての第１の部分に関して、仕様への影響を最小化するために、第１の実施形態で使用したものと同じシフトされたＤｗＰＴＳからのＰＤＳＣＨマッピング、ＲＳマッピング、およびＴＢＳ決定を同様に使用することができる。
【００４８】
２．連帯的に符号化されたトランスポートブロック、すなわち第１の部分におけるビットおよび第２の部分におけるビットは、１つの拡張ＰＤＳＣＨとして連帯的に符号化されマッピングされる。この場合、３ＧＰＰ３６．２１１で規定されたＲＳマッピングを再利用し新しいＴＢＳ決定、例えば、
【００４９】
【数３】
2019154078.tif 000005
【００５０】
を規定することが可能であり、上式でＮＰＲＢは３ＧＰＰ  ３６．２１３におけるＴＢＳテーブルのカラムの指標であり、Ｎ’ＰＲＢは割り当てられたＰＲＢの合計数であり、βはターゲットＰＤＳＣＨにおけるデータＲＥの数から導出される係数である（例えば、βは、ターゲットＰＤＳＣＨにおけるデータＲＥの数を既存のＰＤＳＣＨにおけるデータＲＥＳの平均数で割ることを通して導出することができ、加えるに、異なるＰＤＳＣＨ長に対して異なるβを使用してもよく、または、例えば個々のβを平均することによって、多数のＰＤＳＣＨ長に対して共通のβを使用してもよい）。
【００５１】
３．ＴＴＩバンドリング、すなわち第１の部分におけるビットおよび第２の部分におけるビットは、トランスポートブロックの同じ符号化ビットの同じ／異なるＲＶ（Ｒｅｄｕｎｄａｎｔ  Ｖｅｒｓｉｏｎ）であり、同時に第１の部分は、使用されたＯＦＤＭシンボルに基づいて先端を切り取られたものとすることができる。この場合、３ＧＰＰ  ３６．２１１で規定されたＲＳマッピングおよび３ＧＰＰ  ３６．２１３で規定されたＴＢＳを再利用することが可能である。
【００５２】
第２の実施形態で、アンライセンスドキャリアにおけるバーストの先頭ＰＤＳＣＨの期間を示すために、ＤＣＩがライセンスドバンドのＰＤＣＣＨ／ＥＰＤＣＣＨで送られることになる。ＤＣＩは、アンライセンスドチャネルがｅＮＢによって占有された後またはアンライセンスドチャネルがｅＮＢによって占有される前に送ることができる。例えば、ＤＣＩは、先頭ＰＤＳＣＨの第１の部分または第２の部分を送信するサブフレームで送ることができる。図７の実施例で、ＤＣＩは、第２の部分を送信するサブフレームで送られる。先頭ＰＤＳＣＨに対するＤＣＩは、先頭ＰＤＳＣＨの長さを示す長さインジケータを少なくとも含み、先頭ＰＤＳＣＨの終了時間を示す終了インジケータを任意選択で含むことができる。第２の実施形態で、ＤＣＩを送るサブフレームは、先頭ＰＤＳＣＨの第１の部分を送信するサブフレームまたは第２の部分を送信するサブフレームのいずれかであるように固定または設定することができるので、ＵＥは先頭ＰＤＳＣＨの終了を知ることができ、したがって、終了インジケータを省略することができる。例えばＯＦＤＭシンボルを単位として、先頭ＰＤＳＣＨの長さを示すための長さインジケータに関して、例えば、４ビットを使用して１５から２８ＯＦＤＭシンボルまでのＰＤＳＣＨ長を示すことができる。あるいは、符号化レートの縮小によってＤＣＩのロバスト性を向上させることと同様に信号伝達オーバヘッドを縮小するために、可能な開始位置の縮小されたセットに関連して、縮小された数のビットを同様に使用することができる。例えば、１５／２０／２３／２６ＯＦＤＭシンボルの長さに対して２ビットインジケータを使用することができ、または１５／２０ＯＦＤＭシンボルの長さに対して１ビットインジケータを使用することができる。
【００５３】
上記の方法は、拡張ＣＰを持つＯＦＤＭシンボルに同様に適用され得る。本実施形態によれば、ＣＣＡが成功する時間が予測できないため、ｅＮＢで異なる長さのＰＤＳＣＨをバッファリングすることが必要とされる場合があり、ＵＥは先頭ＰＤＳＣＨのために前のサブフレームを１つバッファリングしなければならない場合がある。
【００５４】
（第３の実施形態）
第３の実施形態で、ｅＮＢは、第２のキャリアがｅＮＢによって占有された後の最初の利用可能なＯＦＤＭシンボルから始まり、先頭ＰＤＳＣＨが始まるサブフレームの終了境界または先頭ＰＤＳＣＨが始まるサブフレームの次のサブフレームの終了境界のいずれかで終わる、バーストの先頭ＰＤＳＣＨを送信する。ここでは、１つのＤＣＩフォーマットを使用するｅＮＢが第１の実施形態および第２の実施形態におけるＰＤＳＣＨスケジューリング機構の両方とも採用することができ、どちらを採用するかは、ｅＮＢでのスケジューリング戦略に依存することになる。換言すれば、第１の実施形態のような短縮ＰＤＳＣＨがスケジューリングされるか第２の実施形態のような拡張ＰＤＳＣＨがスケジューリングされるかは、ｅＮＢでのスケジューリング戦略に依存することになり、２つの場合に対して１つのＤＣＩフォーマットが使用される。第３の実施形態におけるＤＣＩフォーマットはノーマルなＰＤＳＣＨに対して同様に使用され得ることが留意される。第３の実施形態で、ＰＤＳＣＨマッピング、ＲＳマッピング、ＴＢＳ決定、および符号化は、それぞれ第１の実施形態および第２の実施形態と同じ方法を使用することができる。
【００５５】
ｅＮＢでのスケジューリング戦略は、以下の特徴の１つまたは複数を考慮し得る。すなわち、
【００５６】
１．ＵＥ能力：
◆ＵＥが拡張ＰＤＳＣＨをサポートしない場合、拡張ＰＤＳＣＨはこのＵＥに対してスケジューリングされないことになる
◆ＵＥが短縮ＰＤＳＣＨをサポートしない場合、短縮ＰＤＳＣＨはこのＵＥに対してスケジューリングされないことになる
◆ＵＥがノーマルなＰＤＳＣＨだけをサポートする場合、短縮／拡張ＰＤＳＣＨはこのＵＥに対してスケジューリングされないことになり、すなわちＵＥはバーストの中ほどでのみスケジューリングされることになる
【００５７】
２．アンライセンスドチャネル条件：
◆短縮ＰＤＳＣＨが少なすぎる数のＯＦＤＭシンボルを含むかまたはＲＳを含まない場合、好ましくは拡張ＰＤＳＣＨがスケジューリングされることになる
【００５８】
３．ライセンスド制御のオーバヘッド：
◆ライセンスドバンドのＰＤＣＣＨ／ＥＰＤＣＣＨにおける負荷が高い場合、必要とするスケジューリングオーバヘッドがより少ない、拡張ＰＤＳＣＨが好ましいことになる
【００５９】
４．ｅＮＢの一定の選好
◆例えばｅＮＢでの所定の選好
【００６０】
アンライセンスドキャリアにおけるバーストの先頭ＰＤＳＣＨの期間を示すために、ＤＣＩがライセンスドバンドのＰＤＣＣＨ／ＥＰＤＣＣＨで送られることになる。ＤＣＩは、アンライセンスドチャネルがｅＮＢによって占有された後またはアンライセンスドチャネルがｅＮＢによって占有される前に送ることができる。例えば、図８は、本開示の第３の実施形態によるライセンスドキャリアおよびアンライセンスドキャリアに対する例示的な時系列図を概略的に例示する。図８に示されるように、アンライセンスドバンドでの３つの可能な先頭ＰＤＳＣＨが例示され、上のものは第２の実施形態で説明した拡張ＰＤＳＣＨであり、中央のものは第１の実施形態で説明した特殊な場合としてのノーマルなＰＤＳＣＨであり、１番下のものは第１の実施形態で説明した短縮ＰＤＳＣＨである。１つのＤＣＩフォーマットで３つのＰＤＳＣＨの期間を一様に示すために、図８に示されるように、先頭ＰＤＳＣＨに対するＤＣＩは、拡張ＰＤＳＣＨの第２の部分を送信するサブフレームまたはノーマルなＰＤＳＣＨを送信するサブフレームまたは短縮ＰＤＳＣＨを送信するサブフレームの次のサブフレームで送信することができる。ＤＣＩは、先頭ＰＤＳＣＨの終了時間がＤＣＩを送信するサブフレームの開始境界であるか終了境界であるかどうかを示す終了インジケータ（すなわち、終了サブフレーム境界フィールド）および先頭ＰＤＳＣＨの長さを示す長さインジケータを含むことができる。
【００６１】
特に、ＤＣＩにおける終了サブフレーム境界フィールドに関して、１ビットを使用して、例えば（Ｅ）ＰＤＣＣＨでＤＣＩを送るためのサブフレームに対して、終了時間（例えば、終了サブフレーム境界）を示すことができる。例えば、「０」は、ＤＣＩを送るサブフレームの開始境界（図８で第１のサブフレーム境界）でＰＤＳＣＨが終わることを示し、「１」は、ＤＣＩを送るサブフレームの終了境界（図８で第２のサブフレーム境界）でＰＤＳＣＨが終わることを示す。
【００６２】
例えばＯＦＤＭシンボルを単位として、先頭ＰＤＳＣＨの長さを示すための長さインジケータに関して、例えば、５ビットを使用して１から２８ＯＦＤＭシンボルまでのＰＤＳＣＨ長を示すことができる。あるいは、符号化レートの縮小によってＤＣＩのロバスト性を向上させることと同様に信号伝達オーバヘッドを縮小するために、可能な開始位置の縮小されたセットに関連して、縮小された数のビットを使用することができる。例えば、図８に示されるようにＤＣＩがサブフレームで送信される場合、ＰＤＳＣＨがＤＣＩを送るサブフレームの開始境界（図８で第１のサブフレーム境界）で終わるならば、ＰＤＳＣＨの長さは１〜１３シンボルのみとすることができ（短縮ＰＤＳＣＨ）、ＰＤＳＣＨがＤＣＩを送るサブフレームの終了境界（図８で第２のサブフレーム境界）で終わるならば、ＰＤＳＣＨの長さは１４〜２８シンボルのみとすることができる（ノーマルなＰＤＳＣＨまたは拡張ＰＤＳＣＨ）。この場合、４ビットインジケータを使用して１から１３ＯＦＤＭシンボルの長さまたは１４から２８ＯＦＤＭシンボルの長さを示すことができ、終了インジケータに関連して、長さインジケータによって期間を決定することができる。
【００６３】
上記の方法は、拡張ＣＰを持つＯＦＤＭシンボルに同様に適用され得る。本実施形態によれば、ＣＣＡが成功する時間が予測できないため、ｅＮＢで異なる長さのＰＤＳＣＨをバッファリングすることが必要とされる場合があり、ＵＥは先頭ＰＤＳＣＨのために前のサブフレームを１つバッファリングしなければならない場合がある。
【００６４】
（第４の実施形態）
最大バースト長についての規制制約（例えば日本で最大バースト長＜４ｍｓ）および／またはフレキシブルなバースト開始時間によって、それは、地域の規制によって許可された最大バースト長を利用するためのフレキシブルなバースト終了時間につながることになる。バーストの最終ＰＤＳＣＨがサブフレームの中ほどで終わることになるとき、ＤｗＰＴＳにおける短縮ＰＤＳＣＨは、ＯＦＤＭシンボルの粒度でのフレキシブルな終了時間のために直接使用することができる。あるいは、短縮ＰＤＳＣＨおよび前の１つのノーマルなＰＤＳＣＨは、１つの（グループの）ＵＥへの１つのＤＣＩによって拡張ＰＤＳＣＨとして一緒にスケジューリングすることができる。拡張ＰＤＳＣＨまたは短縮ＰＤＳＣＨは、バーストのフレキシブルな最終ＰＤＳＣＨとみなされる。
【００６５】
拡張ＰＤＳＣＨのビットは、以下とすることができる。すなわち、
１．別々に符号化されたトランスポートブロック、すなわち最後のサブフレームの短縮ＰＤＳＣＨ部分におけるビットと最後から２番目のサブフレームのノーマルなＰＤＳＣＨ部分におけるビットは、別々に符号化される。短縮ＰＤＳＣＨ部分に関して、仕様への影響を最小化するために、第１の実施形態で使用したものと同じ、シフトなしのシフトされたＤｗＰＴＳからのＰＤＳＣＨマッピング、ＲＳマッピング、およびＴＢＳ決定を使用することができる。
【００６６】
２．連帯的に符号化されたトランスポートブロック、すなわち最後のサブフレームの短縮ＰＤＳＣＨ部分におけるビットと最後から２番目のサブフレームのノーマルなＰＤＳＣＨ部分におけるビットは、１つの拡張ＰＤＳＣＨとして符号化されマッピングされる。この場合、３ＧＰＰ３６．２１１で規定されたＲＳマッピングを再利用し新しいＴＢＳ決定、例えば、
【００６７】
【数４】
2019154078.tif 000006
【００６８】
を規定することが可能であり、上式でＮＰＲＢは３ＧＰＰ  ３６．２１３におけるＴＢＳテーブルのカラムの指標であり、Ｎ’ＰＲＢは割り当てられたＰＲＢの合計数であり、βはターゲットＰＤＳＣＨにおけるデータＲＥの数から導出される係数である（例えば、βは、ターゲットＰＤＳＣＨにおけるデータＲＥの数を既存のＰＤＳＣＨにおけるデータＲＥＳの平均数で割ることを通して導出することができ、加えるに、異なるＰＤＳＣＨ長に対して異なるβを使用してもよく、または、例えば個々のβを平均することによって、多数のＰＤＳＣＨ長に対して共通のβを使用してもよい）。
【００６９】
３．ＴＴＩバンドリング、すなわち最後のサブフレームの短縮ＰＤＳＣＨ部分におけるビットと最後から２番目のサブフレームのノーマルなＰＤＳＣＨ部分におけるビットは、トランスポートブロックの同じ符号化ビットの同じ／異なるＲＶ（ｒｅｄｕｎｄａｎｔ  ｖｅｒｓｉｏｎ）であり、同時に短縮ＰＤＳＣＨ部分は、使用されたＯＦＤＭシンボルに基づいて先端を切り取られたものである。この場合、３ＧＰＰ  ３６．２１１で規定されたＲＳマッピングおよび３ＧＰＰ  ３６．２１３で規定されたＴＢＳを再利用することが可能である。
【００７０】
図９は、本開示の第４の実施形態によるライセンスドキャリアおよびアンライセンスドキャリアに対する例示的な時系列図を概略的に例示する。図９に示されるように、アンライセンスドバンドで、バーストの最終ＰＤＳＣＨは、ノーマルなＰＤＳＣＨ部分および短縮ＰＤＳＣＨ部分を含む拡張ＰＤＳＣＨである。アンライセンスドキャリアにおけるバーストの最終ＰＤＳＣＨの期間を示すために、ＤＣＩがライセンスドバンドのＰＤＣＣＨ／ＥＰＤＣＣＨで送られることになる。バーストのフレキシブルな最終ＰＤＳＣＨ（フレキシブルなＰＤＳＣＨとしてのバーストの最終ＰＤＳＣＨ）に対するＤＣＩは、最終ＰＤＳＣＨの長さを示す長さインジケータを含み、長さは、例えばＤＣＩを送信するサブフレームの開始境界から始まる。ＤＣＩは、最終ＰＤＳＣＨの開始時間を示す開始インジケータを任意選択で含むことができる。しかしながら、最終ＰＤＳＣＨの開始境界は、図９に示されるように、ＤＣＩを送るサブフレームの開始境界に固定することができるので、ＵＥは最終ＰＤＳＣＨの開始を知ることができ、したがって開始インジケータを省略することができる。例えばＯＦＤＭシンボルを単位として、先頭ＰＤＳＣＨの長さを示すための長さインジケータに関して、例えば、４ビットを使用して１５から２８ＯＦＤＭシンボルまでのＰＤＳＣＨ長を示すことができる。あるいは、符号化レートの縮小によってＤＣＩのロバスト性を向上させることと同様に信号伝達オーバヘッドを縮小するために、可能な開始位置の縮小されたセットに関連して、縮小された数のビット（例えば１５／２０／２３／２８ＯＦＤＭシンボルの長さに対して２ビットインジケータ、または１５／２０ＯＦＤＭシンボルの長さに対して１ビットインジケータ）を使用することができる。
【００７１】
上記の方法は、拡張ＣＰを持つＯＦＤＭシンボルに同様に適用され得る。加えるに、バーストの最終ＰＤＳＣＨが拡張ＰＤＳＣＨを採用せず短縮ＰＤＳＣＨを直接使用する場合、類似のＤＣＩを使用して最終短縮ＰＤＳＣＨの期間を示すことができ、唯一の相違は、短縮ＰＤＳＣＨに対する長さインジケータが、ノーマルＣＰの場合に１〜１３シンボルの長さを示すということである。加えるに、短縮ＤＣＩに対するＤＣＩは、ノーマルＣＰの場合に１４の長さを示すことによって、ノーマルなＰＤＳＣＨのために同様に使用することができる。
【００７２】
（第５の実施形態）
第５の実施形態で、バーストの最終ＰＤＳＣＨに対する短縮ＰＤＳＣＨと拡張ＰＤＳＣＨとの間の選択は、ｅＮＢでのスケジューリング戦略に依存し得る。また、同じＤＣＩフォーマットは、短縮ＰＤＳＣＨおよび拡張ＰＤＳＣＨならびに任意選択でノーマルなＰＤＳＣＨに対して使用することができる。
【００７３】
ｅＮＢでのスケジューリング戦略は、以下の特徴の１つまたは複数を考慮することになる。すなわち、
【００７４】
１．ＵＥ能力：
◆ＵＥが拡張ＰＤＳＣＨをサポートしない場合、拡張ＰＤＳＣＨはこのＵＥに対してスケジューリングされないことになる
◆ＵＥが短縮ＰＤＳＣＨをサポートしない場合、短縮ＰＤＳＣＨはこのＵＥに対してスケジューリングされないことになる
◆ＵＥがノーマルなＰＤＳＣＨだけをサポートする場合、短縮／拡張ＰＤＳＣＨはこのＵＥに対してスケジューリングされないことになり、すなわちＵＥはバーストの中ほどでのみスケジューリングされることになる
【００７５】
２．アンライセンスドチャネル条件：
◆短縮ＰＤＳＣＨが少なすぎる数のＯＦＤＭシンボルを含むかまたはＲＳを含まない場合、好ましくは拡張ＰＤＳＣＨがスケジューリングされることになる
【００７６】
３．ライセンスド制御のオーバヘッド：
◆ライセンスドバンドのＰＤＣＣＨ／ＥＰＤＣＣＨにおける負荷が高い場合、必要とするスケジューリングオーバヘッドがより少ない、拡張ＰＤＳＣＨが好ましいことになる
【００７７】
４．ｅＮＢの一定の選好
◆例えばｅＮＢでの所定の選好
【００７８】
アンライセンスドキャリアにおけるバーストの最終ＰＤＳＣＨの期間を示すために、ＤＣＩがライセンスドバンドのＰＤＣＣＨ／ＥＰＤＣＣＨで送られることになる。例えば、図１０は、本開示の第５の実施形態によるライセンスドキャリアおよびアンライセンスドキャリアに対する例示的な時系列図を概略的に例示する。図１０に示されるように、アンライセンスドバンドでの２つの可能なフレキシブルな最終ＰＤＳＣＨが例示され、上のものは拡張サブフレームであり、下のものは短縮サブフレームである。１つのＤＣＩフォーマットで２タイプのＰＤＳＣＨの期間を一様に示すために、図１０に示されるように、最終ＰＤＳＣＨに対するＤＣＩは、最終ＰＤＳＣＨを送信し始めるサブフレームで送信することができる。ＤＣＩは、最終ＰＤＳＣＨの長さを示す長さインジケータを少なくとも含み、最終ＰＤＳＣＨの開始時間を示す開始インジケータを任意選択で含むことができる。第５の実施形態で、最終ＰＤＳＣＨの開始境界は、図１０に示されるように、ＤＣＩを送るサブフレームの開始境界に固定することができるので、ＵＥは最終ＰＤＳＣＨの開始を知ることができ、したがって開始インジケータを省略することができる。例えばＯＦＤＭシンボルを単位として、先頭ＰＤＳＣＨの長さを示すための長さインジケータに関して、例えば、５ビットを使用して１から２８ＯＦＤＭシンボルまでのＰＤＳＣＨ長を示すことができる。あるいは、符号化レートの縮小によってＤＣＩのロバスト性を向上させることと同様に信号伝達オーバヘッドを縮小するために、可能な開始位置の縮小されたセットに関連して、縮小された数のビット（例えば９／１１／１４／（１４＋６）ＯＦＤＭシンボルの長さに対して２ビットインジケータ）を使用することができる。
【００７９】
上記の方法は拡張ＣＰを持つＯＦＤＭシンボルに同様に適用され得ることが留意される。
【００８０】
（第６の実施形態）
第３の実施形態に基づいて、バーストの先頭ＰＤＳＣＨに対して短縮ＰＤＳＣＨがスケジューリングされるか拡張ＰＤＳＣＨがスケジューリングされるかは、ｅＮＢでのスケジューリング戦略に応じて選択されることになり、１つのＤＣＩフォーマットを使用して両方のタイプのＰＤＳＣＨを示すことができる。第５の実施形態で、バーストの最終ＰＤＳＣＨに対する短縮ＰＤＳＣＨと拡張ＰＤＳＣＨとの間の選択は、ｅＮＢでのスケジューリング戦略に同様に依存することができ、両方のタイプのＰＤＳＣＨは、同様に１つのＤＣＩフォーマットで示すことができる。第６の実施形態で、１つのＤＣＩフォーマットを使用して、短縮ＰＤＳＣＨおよび拡張ＰＤＳＣＨの両方に対する先頭および最終ＰＤＳＣＨの両方を示すことができる。ここでは、次の場合があり得る。すなわち、１）バーストの始まりでの短縮ＰＤＳＣＨおよびバーストの最後での短縮ＰＤＳＣＨ、２）バーストの始まりでの短縮ＰＤＳＣＨおよびバーストの最後での拡張ＰＤＳＣＨ、３）バーストの始まりでの拡張ＰＤＳＣＨおよびバーストの最後での短縮ＰＤＳＣＨ、ならびに４）バーストの始まりでの拡張ＰＤＳＣＨおよびバーストの最後での拡張ＰＤＳＣＨである。特殊な場合として、先頭および最終ＰＤＳＣＨは同様にノーマルなＰＤＳＣＨとすることができ、それは同様に、第６の実施形態で規定されるＤＣＩによって任意選択で示されることが、留意される。ｅＮＢがノーマルなＰＤＳＣＨに対してノーマルＤＣＩを使用するか本開示で規定されるＤＣＩを使用するかは、指定または設定することができる。
【００８１】
図１１は、本開示の第６の実施形態によるライセンスドキャリアおよびアンライセンスドキャリアに対する例示的な時系列図を概略的に例示する。図１１に示されるように、アンライセンスドバンドでの３つの可能な先頭ＰＤＳＣＨおよび３つの可能な最終ＰＤＳＣＨが例示され、１列目のＰＤＳＣＨは先頭ＰＤＳＣＨとしての短縮ＰＤＳＣＨであり、２列目のＰＤＳＣＨは先頭ＰＤＳＣＨとしての拡張ＰＤＳＣＨであり、３列目のＰＤＳＣＨは先頭ＰＤＳＣＨとしてのノーマルなＰＤＳＣＨであり、４列目のＰＤＳＣＨは最終ＰＤＳＣＨとしての短縮ＰＤＳＣＨであり、５列目のＰＤＳＣＨは最終ＰＤＳＣＨとしての拡張ＰＤＳＣＨであり、６列目のＰＤＳＣＨは最終ＰＤＳＣＨとしてのノーマルなＰＤＳＣＨである。これらのＰＤＳＣＨをそれぞれスケジューリングするためのＤＣＩは、ＰＤＳＣＨが先頭ＰＤＳＣＨである場合、拡張ＰＤＳＣＨの第２の部分を送信するサブフレームまたはノーマルなＰＤＳＣＨを送信するサブフレームまたは短縮ＰＤＳＣＨを送信するサブフレームの次のサブフレームで送信することができ、ＰＤＳＣＨが最終ＰＤＳＣＨである場合、ＰＤＳＣＨを送信し始めるサブフレームで送信することができる。
【００８２】
１つのＤＣＩフォーマットでこれらのタイプのＰＤＳＣＨすべての期間を一様に示すために、ＤＣＩは、ＰＤＳＣＨの長さを示す長さインジケータと、ＰＤＳＣＨの終了時間がＤＣＩを送信するサブフレームの開始境界であること、またはＰＤＳＣＨの終了時間がＤＣＩを送信するサブフレームの終了境界であること、またはＰＤＳＣＨの開始時間がＤＣＩを送信するサブフレームの開始境界であることを示す開始−終了インジケータとを含むことができる。加えるに、先頭ＰＤＳＣＨに対するＤＣＩは終了時間を示し最終ＰＤＳＣＨに対するＤＣＩは開始時間を示すので、開始−終了インジケータは、ＰＤＳＣＨが先頭ＰＤＳＣＨであるか最終ＰＤＳＣＨであるかを同様に暗示することができる。
【００８３】
具体的には、開始−終了インジケータに関して、例えば、２ビットを使用して、例えばＤＣＩ（ＰＤＣＣＨ／ＥＰＤＣＣＨ）を送るサブフレームに対して、開始または終了サブフレーム境界を示すことができる。例えば、「００」を使用して、ＤＣＩを送るサブフレームの開始境界（図１１で第１のサブフレーム境界）で終わるＰＤＳＣＨを示すことができ、「０１」を使用して、ＤＣＩを送るサブフレームの終了サブフレーム境界（図１１で第２のサブフレーム境界）で終わるＰＤＳＣＨを示すことができ、「１０」を使用して、ＤＣＩを送るサブフレームの開始境界（図１１で第１のサブフレーム境界）で始まるＰＤＳＣＨを示すことができる。
【００８４】
例えばＯＦＤＭシンボルを単位として、ＰＤＳＣＨの長さを示すための長さインジケータに関して、例えば、５ビットを使用して１から２８ＯＦＤＭシンボルまでのＰＤＳＣＨ長を示すことができる。あるいは、符号化レートの縮小によってＤＣＩのロバスト性を向上させることと同様に信号伝達オーバヘッドを縮小するために、可能な開始位置の縮小されたセットに関連して、縮小された数のビット（例えば６／９／１０／１１／１２／１４／（１４＋３）／（１４＋６）ＯＦＤＭシンボルの長さに対して３ビットインジケータ）を使用することができる。
【００８５】
上記の方法は拡張ＣＰを持つＯＦＤＭシンボルに同様に適用され得ることが留意される。
【００８６】
（第７の実施形態）
第７の実施形態で、ｅＮＢは、第２のキャリアがｅＮＢによって占有された後の最初の利用可能なＯＦＤＭシンボルから始まり、固定長、特にノーマルなＰＤＳＣＨの長さを持つ、バーストの先頭ＰＤＳＣＨを送信することができる。換言すれば、第７の実施形態で、バーストの先頭ＰＤＳＣＨは、シフトされた開始シンボルを持つノーマル長のＰＤＳＣＨである。アンライセンスドバンドでＣＣＡが成功した後、ｅＮＢは、（プリアンブル、ＲＴＳ／ＣＴＳまたはＰＳＳ／ＳＳＳなどの予約信号がＣＣＡ終了後に送られる場合）データ送信のために利用可能な最初のＯＦＤＭシンボルから始まり、ＯＦＤＭシンボルの固定された数に基づくＯＦＤＭシンボルで終わるＰＤＳＣＨでデータを送る。ノーマルＣＰでアンライセンスドバンドにＰＤＣＣＨ領域がない場合、ノーマルなＰＤＳＣＨは１４個のＯＦＤＭシンボルからなる。先頭ＰＤＳＣＨの開始シンボルは、ＣＣＡ終了時間に応じて１番目から１４番目までであり、他方ＰＤＳＨの終了時間は、ＰＤＳＣＨの長さが１４ＯＦＤＭシンボルを維持する場合、１４番目から１番目までである。第７の実施形態で、バーストの先頭ＰＤＳＣＨは、ＣＣＡ終了に基づいてＯＦＤＭシンボル境界を単位としてフレキシブルな時間に始まりそして終わる。
【００８７】
図１２は、本開示の第７の実施形態によるライセンスドキャリアおよびアンライセンスドキャリアに対する例示的な時系列図を概略的に例示する。図１２に示されるように、ｅＮＢは、第２のキャリアがｅＮＢによって占有された後の最初の利用可能なＯＦＤＭシンボルから始まるバーストの先頭ＰＤＳＣＨを送信し、先頭ＰＤＳＣＨは、１つのノーマルなＰＤＳＣＨの固定長を有する。（フレキシブルなＰＤＳＣＨとも呼ぶことができる）シフトされた開始シンボルを持つノーマル長さのＰＤＳＣＨは、例えば全体シフトまたは循環シフトによって現在のノーマルなＰＤＳＣＨの構造を再利用することができる。全体シフトは、ノーマルなＰＤＳＣＨの開始部分がフレキシブルなＰＤＳＣＨの開始部分にシフトされ、ノーマルなＰＤＳＣＨの終了部分がフレキシブルなＰＤＳＣＨの終了部分にシフトされるように、ノーマルなＰＤＳＣＨがフレキシブルなＰＤＳＣＨに全体的にシフトされることを意味する。循環シフトは、本開示の第７の実施形態によるＰＤＳＣＨの循環シフトを解説するための例示的な時系列図を概略的に例示する図１３に示されるように、フレキシブルなＰＤＳＣＨの前部がノーマルなＰＤＳＣＨの後部に由来し、フレキシブルなＰＤＳＣＨの後部がノーマルなＰＤＳＣＨの前部に由来することを意味する。
【００８８】
アンライセンスドキャリアにおけるバーストのフレキシブルな先頭ＰＤＳＣＨの期間を示すために、ＤＣＩがライセンスドバンドのＰＤＣＣＨ／ＥＰＤＣＣＨで送られることになる。ＤＣＩは、アンライセンスドチャネルがｅＮＢによって占有された後またはアンライセンスドチャネルがｅＮＢによって占有される前に送ることができる。例えば、ＤＣＩは、先頭ＰＤＳＣＨの送信を開始するサブフレームの次のサブフレームで送ることができる。図１２の実施例で、ＤＣＩは、第２の部分を送信するサブフレームで送られる。先頭ＰＤＳＣＨに対するＤＣＩは、基準境界に対する先頭ＰＤＳＣＨの開始時間のオフセット長を示すオフセット長インジケータと、基準境界がＤＣＩを送信するサブフレームの開始時間であるか終了時間であるかを示す基準境界インジケータとを含む。
【００８９】
具体的には、基準境界インジケータに関して、例えば、１ビットを使用して、例えば（ＰＤＣＣＨ／ＥＰＤＣＣＨで）ＤＣＩを送るサブフレームに対する基準境界を示すことができる。例えば、「０」を使用して、基準境界はＤＣＩを送るサブフレームの開始境界（図１２で第１のサブフレーム境界）であることを示すことができ、他方、「１」を使用して、基準境界はＤＣＩを送るサブフレームの終了境界（図１２で第２のサブフレーム境界）であることを示すことができる。
【００９０】
オフセット長インジケータに関して、４ビットを使用して基準境界の前の０から１３ＯＦＤＭシンボルまででのＰＤＳＣＨオフセットを示すことができる（「０」は、オフセットがなく先頭ＰＤＳＣＨがノーマルなＰＤＳＣＨであることを意味する）。符号化レートの縮小によってＤＣＩのロバスト性を向上させることと同様に信号伝達オーバヘッドを縮小するために、可能な開始位置の縮小されたセットに関連して、縮小された数のビット（例えば０／６／９／１２ＯＦＤＭシンボルの長さに対して２ビットインジケータ）を使用することができる。
【００９１】
図１２に戻って参照すると、バーストの２番目のＰＤＳＣＨに関して、後続のサブフレーム境界と位置合わせするために短縮ＰＤＳＣＨを採用することができる。短縮された２番目のＰＤＳＣＨは、先頭ＰＤＳＣＨまたは３番目のＰＤＳＣＨと一緒にまたは独立してスケジューリングすることができる。短縮ＰＤＳＣＨが独立してスケジューリングされる場合、第１の実施形態におけるＰＤＳＣＨ＆ＲＳマッピングおよびＴＢＳ決定の方法を使用することができる。短縮ＰＤＳＣＨが先頭ＰＤＳＣＨまたは３番目のＰＤＳＣＨと一緒に１つの拡張ＰＤＳＣＨとしてスケジューリングされる場合、第２の実施形態におけるＰＤＳＣＨ＆ＲＳマッピングおよびＴＢＳ決定の方法を使用することができる。バーストの２番目のＰＤＳＣＨおよび場合によっては後続のＰＤＳＣＨは、固定長のシフトされたＰＤＳＣＨを同様に採用し得ることが、留意される。この場合、２番目のＰＤＳＣＨのスケジューリング方法は、固定長のシフトされた先頭ＰＤＳＣＨと同じである。
【００９２】
加えるに、第７の実施形態の別の実施例として、先頭ＰＤＳＣＨは必ずしも固定長のＰＤＳＣＨではなく、同様に、先頭ＰＤＳＣＨを開始するサブフレームの終了境界で終わるＰＤＳＣＨ（例えば短縮ＰＤＳＣＨ）もしくは先頭ＰＤＳＣＨが固定長を有することを示すインジケータへのＰＤＳＣＨエンドインジケータ、または先頭ＰＤＳＣＨを開始するサブフレームの次のサブフレームの終了境界で終わるＰＤＳＣＨ（拡張ＰＤＳＣＨ）とすることができる。図１４は、本開示の第７の実施形態のこの実施例によるライセンスドキャリアおよびアンライセンスドキャリアに対する例示的な時系列図を概略的に例示する。図１４で、アンライセンスドバンドでの３つの可能な先頭ＰＤＳＣＨが例示される。上のＰＤＳＣＨは１つのノーマルなＰＤＳＣＨの固定長を持つＰＤＳＣＨであり、中央のＰＤＳＣＨは拡張ＰＤＳＣＨであり、１番下のＰＤＳＣＨは短縮ＰＤＳＣＨである。これらの先頭ＰＤＳＣＨの期間を一様に示すために、ＤＣＩは、上記のオフセット長インジケータおよび基準境界インジケータに加えてＰＤＳＣＨエンドインジケータを含む。ＰＤＳＣＨエンドインジケータは、先頭ＰＤＳＣＨが固定長を有すること、先頭ＰＤＳＣＨが短縮ＰＤＳＣＨであること、または先頭ＰＤＳＣＨが拡張ＰＤＳＣＨであることを示す。例えば、２ビットインジケータを使用して、例えば、固定長のＰＤＳＣＨに対して「００」、短縮ＰＤＳＣＨに対して「０１」、拡張ＰＤＳＣＨに対して「１０」などの、このような指示をすることができる。先頭ＰＤＳＣＨが短縮ＰＤＳＣＨであるとき、オフセット長インジケータは短縮ＰＤＳＣＨの長さを示し、基準境界インジケータは短縮ＰＤＳＣＨの終了時間を示す。先頭ＰＤＳＣＨが拡張ＰＤＳＣＨであるとき、オフセット長インジケータは１つのノーマルなＰＤＳＣＨ長を差し引いた拡張ＰＤＳＣＨの長さを示し、基準境界インジケータは拡張ＰＤＳＣＨの第１の部分（短縮ＰＤＳＣＨ部分）の終了時間を示す。この実施例に対して規定されたＤＣＩは、例えば１つのノーマルなＰＤＳＣＨ長の固定長を持つＰＤＳＣＨに対してオフセット長を０に設定することによって、ノーマルなＰＤＳＣＨに対して同様に使用され得ることが、留意される。
【００９３】
同様に、上記の方法は、拡張ＣＰを持つＯＦＤＭシンボルに同様に適用され得る。
【００９４】
本発明は、ソフトウェア、ハードウェア、またはハードウェアと連携したソフトウェアによって実現され得る。上述の各々の実施形態の説明で使用された各々の機能ブロックは、集積回路としてＬＳＩによって実現することができる。それらはチップとして個々に形成してもよく、または１つのチップを機能ブロックの一部またはすべてを含むように形成してもよい。この場合のＬＳＩは、集積度の相違に応じて、ＩＣ、システムＬＳＩ、スーパーＬＳＩ、またはウルトラＬＳＩと呼ぶことができる。しかしながら、集積回路を実施する技術は、ＬＳＩに限定されず、専用回路または汎用プロセッサを使用することによって実現され得る。加えるに、ＬＳＩの製造後にプログラムすることができるＦＰＧＡ（Ｆｉｅｌｄ  Ｐｒｏｇｒａｍｍａｂｌｅ  Ｇａｔｅ  Ａｒｒａｙ）、またはＬＳＩ内部に配置された回路セルの接続および設定を再構成することができる再構成可能プロセッサを使用してもよい。さらに、各々の機能ブロックの計算は、例えば、ＤＳＰまたはＣＰＵを含む、計算手段を使用することによって行うことができ、各々の機能の処理ステップは、実行のためにプログラムとして記録媒体に記録してもよい。そのうえ、半導体技術または他の派生的技術の進歩によって、ＬＳＩに代わる集積回路を実施するための技術が出現したときは、かかる技術を使用することによって機能ブロックが統合され得ることは明らかである。
【００９５】
本発明は、本発明の趣旨および範囲から逸脱することなく明細書で提示された説明および周知の技術に基づいて当業者によってさまざまに変更または修正されるように意図し、かかる変更および応用は、保護されるべき特許請求の範囲に含まれることが、留意される。そのうえ、本発明の趣旨から逸脱しない範囲で、上述の実施形態の構成要素は任意に組み合わせることができる。
【図１】
2019154078.tif 000007
【図２】
2019154078.tif 000008
【図３】
2019154078.tif 000009
【図４】
2019154078.tif 000010
【図５】
2019154078.tif 000011
【図６】
2019154078.tif 000012
【図７】
2019154078.tif 000013
【図８】
2019154078.tif 000014
【図９】
2019154078.tif 000015
【図１０】
2019154078.tif 000016
【図１１】
2019154078.tif 000017
【図１２】
2019154078.tif 000018
【図１３】
2019154078.tif 000019
【図１４】
2019154078.tif 000020